(57)【要約】【課題】  本発明は、容器に装着して加熱しても、ラベルの外側から手で持っても熱く感じ難く、同時に充填物の温度を感知することができるように改良された熱収縮性筒状ラベルを提供することを課題とする。【解決手段】  熱収縮性のフィルム層６に断熱層８が積層されたラベル基材５の両側端部を重ね合わせてセンターシールすることにより筒状に形成され、容器の胴部に外嵌装着可能であり、筒状ラベル３に、断熱層を有しない領域１０が筒状ラベル３の上縁から下縁にかけて設けられており、断熱層を有しない領域１０の周方向に於ける長さＬが筒状ラベルの周長さの１０〜５０％である熱収縮性筒状ラベルを解決手段とする。【選択図】      図３
2005173167.tif 000002
【特許請求の範囲】
【請求項１】
熱収縮性のフィルム層に断熱層が積層されたラベル基材の両側端部を重ね合わせてセンターシールすることにより筒状に形成されてなり、容器の胴部に外嵌装着可能な熱収縮性筒状ラベルに於いて、
前記筒状ラベルには、前記断熱層を有しない領域が筒状ラベルの上縁から下縁にかけて設けられており、前記断熱層を有しない領域の周方向に於ける長さが筒状ラベルの周長さの１０〜５０％であることを特徴とする熱収縮性筒状ラベル。
【請求項２】
前記断熱層を有しない領域には、ミシン目が筒状ラベルの上縁から下縁にかけて形成されている請求項１記載の熱収縮性筒状ラベル。
【請求項３】
前記断熱層を有しない領域が、センターシール部の両側に形成されており、前記ミシン目がセンターシール部を挟んで２本形成されている請求項２記載の熱収縮性筒状ラベル。
【発明の詳細な説明】
【技術分野】
【０００１】
本発明は、断熱層を備える熱収縮性筒状ラベルに関する。
【背景技術】
【０００２】
コーヒー、紅茶、お茶などの飲料を充填する容器として、アルミニウムなどの金属製ボトル缶、ポリエチレンテレフタレートからなるＰＥＴボトルなどの合成樹脂製容器などが近年大量に供給されている。ところで、容器に飲料を充填した充填容器の販売形態として、加熱恒温器（ホットウォーマー）などに入れて加熱販売することが行われている。しかし、ホットウォーマーから取り出された充填容器は、通常約５０〜６０℃程度であるため、これを持つと熱く感じられる。特に、容器が金属製であると、合成樹脂製容器やガラス製容器に比べてより熱く感じられる。このような点に鑑みて、特開２００３−２４６３５４には、容器の胴部に装着する筒状ラベルとして、熱収縮性フィルムの全面に不織布が積層された熱収縮性筒状ラベルを用いることが開示されている。かかる不織布が積層されたラベル付き容器は、容器の胴部をラベルの上から片手で持った際に、充填物の熱さが手に伝わり難く、持ち手の熱さを緩和することができる。
【０００３】
しかしながら、このようにラベルに断熱性を付与することが却って好ましくない場合もある。すなわち、一般に、飲食者は、容器を握って充填物の実際の温度を間接的に感知するが、上記充填容器にあっては、充填物の温度がラベルによって緩和されるので、飲食者は、充填物の温度が実際の温度よりも低いと感じ取ることとなる。ところが、実際に飲食してみると、予想外に熱い場合がある。通常、加熱恒温器による販売では、火傷する程に充填物を加熱することはないが、このように予想していた以上に充填物が熱いと、飲食者を驚かせることがあるため、断熱性を保持した上、充填物の温度を感知することができるように改良することが望まれている。
【０００４】
【特許文献１】特開２００３−２４６３５４
【発明の開示】
【発明が解決しようとする課題】
【０００５】
そこで、本発明は、容器に装着して加熱しても、ラベルの外側から手で持っても熱く感じ難く、同時に充填物の温度を感知することができるように改良された熱収縮性筒状ラベルを提供することを課題とする。
【課題を解決するための手段】
【０００６】
本発明の第１の手段は、熱収縮性のフィルム層に断熱層が積層されたラベル基材の両側端部を重ね合わせてセンターシールすることにより筒状に形成され、容器の胴部に外嵌装着可能な熱収縮性筒状ラベルに於いて、筒状ラベルには、断熱層を有しない領域が筒状ラベルの上縁から下縁にかけて設けられており、断熱層を有しない領域の周方向に於ける長さが筒状ラベルの周長さの１０〜５０％である熱収縮性筒状ラベルを提供する。
【０００７】
上記熱収縮性筒状ラベルは、容器にシュリンク装着してラベル付き容器として使用される。かかるラベル付き容器は、断熱層を有しない領域が、筒状ラベルの上縁から下縁にかけて設けられ、且つ筒状ラベルの周長さの１０〜５０％の長さであるため、筒状ラベルの上から容器胴部を包み込むように握ると、その持ち手の大部分が断熱層を有する領域に重なり、持ち手の一部が断熱層を有しない領域に重なることとなる。このように容器を持った手の一部が断熱層を有しない領域に重なることにより、容器の温度を感知することができる一方で、持ち手の大部分は断熱層を有する領域に重なるので、加熱された容器の熱が伝わりにくく、熱いと感じ難い。
【０００８】
また、断熱層を有しない領域に、ミシン目が筒状ラベルの上縁から下縁にかけて形成されている上記熱収縮性筒状ラベルにあっては、ミシン目形成部分に断熱層が存在しないので、リサイクルのためにラベルを除去する際、ミシン目に沿ってラベルを容易に分断することができる。さらに、この断熱層を有しない領域がセンターシール部の両側に形成されており、センターシール部を挟んでミシン目が２本形成されている上記熱収縮性筒状ラベルにあっては、他の部分に比して肉厚なセンターシール部を利用しながらミシン目に沿ってラベルを確実に且つ容易に分断することができる。
【発明の効果】
【０００９】
本発明に係る熱収縮性筒状ラベルは、これを容器に装着して筒状ラベル付き容器とし、これを加熱しても、これを持つ飲食者が熱さを感じ難く、又、非断熱領域を通じて容器胴部の温度を感知することができる。従って、飲食者は、丁度良い温度頃を見計らって充填物を飲食することできる。
また、断熱層を有しない領域にミシン目が形成されているため、ラベルを容易に分断でき、リサイクルの便に優れている。特に、センターシール部の両側に形成されている場合には、確実且つ容易にラベルを分断することができる。
【発明を実施するための最良の形態】
【００１０】
以下、本発明について、図面を参照しつつ具体的に説明する。
図１〜図３に於いて、１は、容器２の少なくとも胴部２２に、断熱層８を有する熱収縮性筒状ラベル３がシュリンク装着された筒状ラベル付き容器を示す。
容器２は、円筒状の胴部２２と注出口２４が形成され、この注出口２４に封緘用のネジキャップ２５が取り付けられている。具体的には、容器２は、底面部２１、これに続く中空状の胴部２２、胴部２２から次第に細くなる肩部２３が形成され、肩部２３の上方に注出口２４が形成されている。注出口２４は、外面に雄ネジ部が形成された円筒状の周壁部２４１と、この周壁部２４１の上端に形成された開口部２４２とからなり、開口部２４２の中心軸Ｏが胴部２２の中心軸線上に一致するように形成されている。ネジキャップ２５は、注出口２４の開口部２４２を閉塞する封緘部２５１と、封緘部２５１の周囲から下方に延びる周壁部２５２とからなり、周壁部２５２の内周面には、注出口２４の雄ネジ部に螺合する雌ネジ部（図示せず）が形成されている。
容器２の材質は特に限定されず、アルミニウム、スチール（合成樹脂製フィルムが積層されたアルミニウム板やスチール板などを含む）などからなる金属製、ポリエチレンテレフタレートなどからなる合成樹脂製、ガラス製などの公知の材質によって形成することができるが、充填物の熱が伝わり易いことから、例えばアルミボトル缶、スチール缶のような金属製の容器２に本発明の筒状ラベル３を装着することが効果的である。
【００１１】
熱収縮性筒状ラベル３は、容器胴部２２に外嵌装着可能で、熱収縮性のフィルム層６の内面に断熱層８が設けられたフィルムを筒状にしてセンターシールした筒状体からなり、センターシール部４の両側には、断熱層８を有しない領域が設けられている（以下、本明細書に於いて、この断熱層を有しない領域を「非断熱領域」という）。この非断熱領域１０は、筒状ラベル３の上縁から下縁にかけて帯状に設けられている。非断熱領域１０は、その周方向に於ける長さが余りに短いと、非断熱領域１０が狭くなって筒状ラベル３の上から胴部２２を持った際に持ち手の一部が非断熱領域１０に重ならない虞があり、一方、余りに長いと断熱層８の占める面積が狭くなって断熱効果が期待できないため、非断熱領域１０は、その周方向に於ける全長Ｌが、筒状ラベル３の全周長さの１０〜５０％、好ましくは、２０〜４０％の長さに設けられている。さらに、非断熱領域１０には、センターシール部４を挟んで、２本のミシン目１１が形成されている。ミシン目１１としては、切れ目（例えば、長さ０．２〜３．０ｍｍ程度）と非切れ目が断続状に形成されたものや、針穴状の切れ目と非切れ目が断続状に形成されたものなどから構成することができる。
上記筒状ラベル３を構成するラベル基材５は、図３（ｂ）に示すように、例えば容器２の胴部２２から肩部２３にかけて覆うことができる所定の長さの矩形状に形成され、外側から順に、熱収縮性のフィルム層６、意匠印刷層７、接着剤層（図示せず）、断熱層８の順で積層された積層フィルムからなる。ラベル基材５の一側端部５ａの内面には、他側端部５ｂの表面に重ね合わせてセンターシール部４を形成するための貼り合わせ代として、フィルム層６の内面が所定幅（例えば３〜８ｍｍ程度）長手方向帯状に露出した貼着部５ｃが確保されている。この貼着部５ｃを除いて、フィルム層６の内面全面に印刷によって意匠印刷層７が設けられている。この意匠印刷層７の内面には、ラベル基材５の一側端部５ａ及び他側端部５ｂから内側（幅方向中央部寄り）にそれぞれ所定幅分を除いた範囲に、接着剤層を介して断熱層８が設けられている。この断熱層８は、ラベル基材５の上縁５ｄから下縁５ｅに帯状に設けられている。従って、ラベル基材５の内面には、幅方向中央部に帯状の断熱層８が設けられた断熱領域と、この領域の両側にフィルム層６（意匠印刷層７）の内面が帯状に露出した非断熱領域１０とが形成されている。この非断熱領域１０には、センターシール部４を形成するための貼り合わせ予定部分の内側近傍位置に、ミシン目１１が上縁５ｄから下縁５ｅにかけて刻設されている。
【００１２】
フィルム層６は、意匠印刷層７を透視可能な無色透明又は有色透明の熱収縮性フィルムからなり、その材質については特に限定されず、例えば、ポリエチレンテレフタレートなどのポリエステル系樹脂、ポリプロピレンなどのオレフィン系樹脂、スチレン−ブタジエン共重合体などのスチレン系樹脂、環状オレフィン系樹脂、塩化ビニル系樹脂などの熱可塑性樹脂からから選ばれる１種、又は２種以上の混合物などからなるフィルムが例示され、中でも、比較的収縮力が強く且つ耐傷性に優れることから、ポリエステル系樹脂フィルムを用いることが好ましい。また、異なる２種以上のフィルムを積層した積層フィルムで構成されていてもよい。フィルムは公知の製法で製膜し延伸処理することにより熱収縮性フィルムを得ることができる。延伸処理は、通常、７０〜１１０℃程度の温度で、幅方向（筒状ラベルとした場合に周方向）に２．０〜８．０倍、好ましくは３．０〜７．０倍程度延伸することにより行われる。さらに、長手方向にも、例えば１．５倍以下の低倍率で延伸処理を行ってもよい。得られたフィルムは、一軸延伸フィルム又は主延伸方向と直交する方向に若干延伸された二軸延伸フィルムとなる。フィルム層６の厚みは、概ね２０〜６０μｍ程度のものが好ましい。
【００１３】
意匠印刷層７は、例えば商品名、絵柄、説明などの所定の表示などの表示印刷と白色等のベタ印刷などが、グラビア印刷などによって単色又は多色刷りにて設けられている。
接着剤層は、断熱層８とフィルム層６（意匠印刷層７）とを貼着可能な接着剤であれば特に限定されず、通常のドライラミネート法やウェットラミネート法などで用いられている接着剤、例えばアクリル系、ポリウレタン系、酢酸ビニル系、塩化ビニル系、ゴム系などの溶剤型接着剤又は水溶性接着剤などを用いることができる。
断熱層８としては、不織布、発泡樹脂シート、和紙、加熱などによって発泡する発泡性インキなどを用いることができる。中でも、適度な断熱性、フィルム層６の熱収縮時の追従性、加工適性、コスト面などから、断熱層８として不織布を用いることが好ましい。不織布としては、例えば、ポリプロピレン、ポリエチレンなどのポリオレフィン、ポリオレフィン系エラストマー、ポリエステル、レーヨン、ナイロン、キュプラなどの繊維を、接着法、ニードルパンチ法、スパンボンド法、メルトブロー法などによってシート状に作製されたものを用いることができる。不織布を構成する繊維は、中実繊維、中空繊維、又はこれらの混合繊維を用いることができ、より断熱性に優れることから中空繊維又はその混合繊維を用いることが好ましい。また、繊維長については、繊維同士の絡み合いにより形成される３次元網目構造による強度やシートの取扱い性などの点では長繊維不織布シートが好ましく、シートのカット適正では短繊維不織布が好ましい。不織布シートの物性として、例えば目付量は約１０〜５０ｇ／ｍ2（好ましくは１５〜３０ｇ／ｍ2）、厚み約８０〜２００μｍ、デニールは約２〜５ｄのものが好ましい。かかる不織布の具体例としては、ユニチカ株式会社製「マリックス」、株式会社東洋紡製「ボンデン」、「エクーレ」、ユニセル株式会社製「ユニセル」などが挙げられる。発泡樹脂シートとしては、ポリエチレン、ポリプロピレン、ポリウレタンなどからなる比較的軟質な熱可塑性樹脂発泡シートが例示され、厚み約０．３〜１．０ｍｍ程度、発泡倍率１０〜４０倍程度のものを適宜用いることができる。和紙としては、雲竜紙、楮紙、雁皮紙、三椏紙などが例示される。発泡インキとしては、例えば塩化ビニリデン−アクリロニトリル共重合体などの熱可塑性樹脂製カプセルの中に、プロパン等の低沸点液体膨張剤などを内包したマイクロカプセルを、水性エマルジョンなどに混合することにより得られる発泡インキなどが例示され、接着剤を使用せずに塗工可能であって、加熱することによって発泡して断熱層８を構成することができる。
【００１４】
上記筒状ラベル付き容器１は、筒状ラベル３に、長手方向帯状に且つ周長さの１０〜５０％の長さで非断熱領域１０が設けられているため、この筒状ラベル３の上から容器胴部２２を包み込むように握ると、その持ち手の大部分が断熱領域に重なり、その持ち手の一部が非断熱領域１０に重なることとなる。かかる非断熱領域１０に於いては、容器胴部２２の温度が殆ど遮断されずに持ち手に伝わるので、飲食者は、充填物の大凡の温度を感知することができる。他方、断熱領域に持ち手の大部分が重なるので、この容器２が加熱されている場合、飲食者は熱いと感じ難い。
また、非断熱領域１０を形成しているため、この領域１０にミシン目１１を形成することにより、リサイクルのため装着ラベル３を除去する際、ミシン目１１に沿ってこれを容易に分断することができる。特に、不織布や和紙などは繊維が無秩序に絡んでいるため、これを断熱層８として使用した場合、この部分にミシン目を形成しても容易に分断できないが、本発明によれば、断熱層８として不織布や和紙を用いても、非断熱領域１０にミシン目１１を形成することにより、筒状ラベル３を容易に分断できる。さらに、ミシン目１１は、センターシール部４を挟んで２本形成されているので、センターシール部４の上端又は下端を摘んで引けば、他の部分に比して肉厚なセンターシール部４を利用できるので、途中で途切れる虞がなく、ミシン目１１に沿って筒状ラベル３を容易に且つ確実に分断することができる。
【００１５】
以上、各種の実施形態を説明したが、本発明はこれに限られず、適宜変更、付加、代用などすることができる。
例えば、非断熱領域１０の少なくとも一部に、加熱によって接着しうる感熱性接着剤を塗工してもよい。具体的には、図４に示すように、非断熱領域１０の内面のうち、ミシン目１１と断熱層８の側縁の間の所定箇所に、感熱性接着剤が部分的に塗工された接着部１３を設けてもよい。接着部１３は、図示の如く複数箇所でもよいし、或いは１箇所でもよい。加熱によって接着しうる感熱性接着剤としては、ホットメルト型接着剤、パートコート型感熱接着剤、ディレードタック型感熱接着剤などを使用することができる。中でも、グラビアコーティングなどの印刷法で塗工できることから、パートコート型感熱接着剤、ディレードタック型感熱接着剤などの感熱接着剤を用いることが好ましい。このように印刷塗工可能であれば、点状、帯状、網状など任意のデザインに自由に接着剤を塗工できる上、フィルム層６に意匠印刷層７を印刷する際の印刷工程の一環としてこれを塗工することもできるので、製造工程の簡略化を図ることができる。更に、接着剤の使用量も少量で済むのでコスト的にも有利である。かかるパートコート型感熱接着剤は、エチレン−酢酸ビニル共重合体などの熱接着性樹脂と粘着付与剤などを有機溶剤などに溶解又は分散させた溶液を、グラビアコーティングなどの印刷によって塗工可能な接着剤であり、塗工後乾燥して使用するものである。ディレードタック型感熱接着剤は、加熱することによって活性化して接着性が生じ且つ冷却後長時間に亘ってそれが持続するものであってグラビアコーティングなどの印刷によって塗工可能な接着剤であり、例えば、エチレン−酢酸ビニル共重合体、酢酸ビニル−アクリル酸エステル共重合体、合成ゴムなどのベース樹脂に粘着付与剤及び固体可塑剤が配合されたエマルジョン型などが例示される。ホットメルト型接着剤は、常温では接着性はないが加熱することによって接着可能となるものであって加熱溶融によって塗工可能な接着剤であり、例えば、エチレン−酢酸ビニル共重合体やエチレンアクリル酸共重合体などのエチレン系樹脂、スチレン−ブタジエンブロック共重合体などのベース樹脂に粘着付与剤などの添加剤が配合されたものが例示される。かかる接着部１３が設けられた筒状ラベル３は、これを容器胴部２２にシュリンク装着する際の熱によって接着剤を接着させることもできる。かかる筒状ラベル３が部分接着された筒状ラベル付き容器１は、ネジキャップ２５を開栓する際に、筒状ラベル３が空転することを防止できるので好ましい態様である。詳しくは、断熱層８として不織布や和紙などを用いると、容器胴部２２に対して比較的滑り易いため、この筒状ラベル３の上から胴部２２を持ってネジキャップ２５を回すと、筒状ラベル３が空回りして、ネジキャップ２５を開栓し難い場合がある。この点、本変形例のように、筒状ラベル３が部分接着可能に構成されていれば、装着された筒状ラベル３は空転することはなく、ネジキャップ２５を容易に開けることができる。特に、外面にリブなどの凹凸が形成されていない平滑な円筒状胴部２２を有する金属製ボトル缶に装着する場合には、筒状ラベル３が空転し易い傾向にあるため、かかる容器２に部分接着可能な筒状ラベル３を装着することは効果的である。
尚、部分接着する手段として、上記のように非断熱領域１０に感熱性接着剤を塗布する手段によれば、断熱層８を積層する前に感熱性接着剤を塗工できるので好ましいが、非断熱領域１０に感熱性接着剤を塗布する手段に代えて、断熱層８の内面に感熱性接着剤を塗布してもよい。この変形例に於いて、断熱層８として不織布や和紙などの液浸透性が高い素材を用いる場合には、パーコート型感熱接着剤やディレードタック型感熱接着剤を用いると多量に塗布しなければならないため、ホットメルト型接着剤を用いることが好ましい。
【００１６】
また、上記各実施形態では、ラベルの易分断手段として非断熱領域１０にミシン目１１を形成することを例示しているが、易分断手段としてはミシン目１１に限られず、例えば、図５（ａ）に示すように、非断熱領域１０の一部を切り込むことによって、非断熱領域１０の上縁又は／及び下縁に切込部１４を形成してもよい。このように非断熱領域１０に切込部１４を設けることにより、これが分断起点となるので、ラベル３を容易に分断できる。特に、図示したように、センターシール部４を挟んで上下縁にそれぞれ２箇所の切込部１１を形成すれば、肉厚なセンターシール部４を利用しながらラベル３を確実に分断できるので好ましい。また、その他の易分断手段として、図５（ｂ）に示すように、非断熱領域１０の内面にテアテープ１５を設けてもよい。かかるテアテープ１５は、上縁から下縁にかけて長手方向に設けられていることが好ましい。更に、図５（ｃ）に示すように、このテアテープ１５を挟んでミシン目１１をそれぞれ形成した態様、或いは、図５（ｄ）に示すように、テアテープ１５を挟んで、ラベル３の上縁又は／及び下縁に切込部１４を形成した態様は、ラベル３を更に分断し易くなるため、より好ましい態様である。
また、他の変形例として、図６（ａ）に示すように、非断熱領域１０をセンターシール部４の片側のみに設けることも可能であり、また、特に図示しないが、ラベル基材５の幅方向中央部に非断熱領域１０を設けたり、或いは、図６（ｂ）に示すように複数箇所に非断熱領域１０を設けてもよい。さらに、意匠印刷層７は、フィルム層６の内面に設けられているが、フィルム層６の外面に設けることも可能である。さらに、上記各実施形態では、ラベル基材５の一側端部５ａに、フィルム層６の露出した貼着部５ｃが設けられているので、ラベル基材５の他側端部５ｂの外面に重ね合わせてセンターシールする際、両面を溶剤接着することができるので好ましいが、必ずしも一側端部５ａにおいてフィルム層６を露出させなければならないわけではない。
尚、本発明の熱収縮性筒状ラベル３を装着したラベル付き容器１は、加熱して使用される用途に限られず、冷温又は常温で使用することもでき、又、充填物は飲料に限られるものではない。また、本発明の熱収縮性筒状ラベル３は、上記のようにネジキャップを備える容器２に装着するものに限られず、例えば王冠のような再封不可のキャップを備える容器などに装着してもよく、又、角型胴部を有する容器２などに装着して使用することもできる。
【図面の簡単な説明】
【００１７】
【図１】本発明に係る筒状ラベル付き容器を示す正面図。
【図２】同分解斜視図。
【図３】（ａ）は、図２のＡ−Ａ線断面図、（ｂ）は、第１実施形態のラベル基材を示す正面図。
【図４】（ａ）は、変形例に係る筒状ラベルの斜視図、（ｂ）はＢ−Ｂ線断面図。
【図５】（ａ）〜（ｄ）共に、変形例に係る筒状ラベルの斜視図。
【図６】（ａ）（ｂ）共に、変形例に係る筒状ラベルの幅方向断面図。
【符号の説明】
【００１８】
１…筒状ラベル付き容器、２…容器、２１…底面部、２２…胴部、２３…肩部、２４…注出口、２４１…周壁部、２４２…開口部、２５…ネジキャップ、２５１…封緘部、２５２…周壁部、３…筒状ラベル、４…センターシール部、５…ラベル基材、５ａ…一側端部、５ｂ…他側端部、５ｃ…貼着部、５ｄ…上縁、５ｅ…下縁、６…フィルム層、７…意匠印刷層、８…断熱層、１０…非断熱領域、１１…ミシン目、１３…接着部、１４…切込部、１５…テアテープ
【図１】
2005173167.tif 000003
【図２】
2005173167.tif 000004
【図３】
2005173167.tif 000005
【図４】
2005173167.tif 000006
【図５】
2005173167.tif 000007
【図６】
2005173167.tif 000008